(57)【要約】【課題】圧縮木材を外装材として用いた電子機器における摺動部の安価、かつ、良好な潤滑対策を提供すること。【解決手段】圧縮木材からなる外装材１０の摺動部１１ｅに潤滑剤Ｌcが含浸されている。摺動部１１ｅは、圧縮木材の木材繊維１１ｄの断面が露出している。含浸された潤滑剤Ｌcが摺動部１１ｅから適量、経時的に染み出し、摺動部以外の部分に漏れ出ることがないため、電子機器が絶縁不良を起こしたり、光学系に曇りを生じさせたりする等の不具合を発生させない、安価、かつ、良好な潤滑対策とすることができる。【選択図】        図４
2005353934.tif 000002
【特許請求の範囲】
【請求項１】
圧縮木材からなる外装材の摺動部に潤滑剤が含浸されていることを特徴とする電子機器。
【請求項２】
前記摺動部は、前記圧縮木材の木材繊維の断面が露出していることを特徴とする請求項１に記載の電子機器。
【発明の詳細な説明】
【技術分野】
【０００１】
本発明は、圧縮木材からなる外装材を有する電子機器に関するものである。
【背景技術】
【０００２】
従来、カメラ，携帯通信機器（主に携帯電話機），ＩＣレコーダ，ＰＤＡ(Personal Digital Assistant)，携帯テレビ，携帯ラジオ或いは各種家電製品のリモコン等の携帯型電子機器は、大量生産性，成形性，堅牢性或いは耐腐食性等の観点から、外装材にＡＢＳ，ポリカーボネート，アクリル等の合成樹脂やアルミニウム，ステンレス，チタン，マグネシウム合金等の金属が多用されている。
【０００３】
電子機器は、機械的な構成上、種々の摺動部を有しており、その潤滑対策として潤滑剤を適用することが一般的に行われている。しかし、合成樹脂や金属からなる外装材は、潤滑剤を吸収しないため、潤滑剤が思わぬところに漏れ出したり飛散したりして、収納した電子部品が絶縁不良を起こし、特に、電子機器がカメラである場合には、光学系に曇りを生じさせたりする等の不具合を招来してしまう。
【０００４】
これに対して、電子機器の外装材として、独特の風合いを有し、人体に馴染み易く、また環境に優しい素材である木材や木材を加工処理した木質材料を使用することが提案されている（例えば、特許文献１参照）。特許文献１によれば、外装材表面に露出した木材繊維が潤滑剤を吸収するため、外装材に潤滑剤を適用した場合でも、上記のような不具合を抑制することができる。
【０００５】
【特許文献１】特開２００４−６４０２１号公報
【発明の開示】
【発明が解決しようとする課題】
【０００６】
しかしながら、特許文献１に記載の電子機器によれば、木材繊維の空間が大きいために潤滑剤の吸収が顕著であり、摺動部のみの部分的な潤滑のために多量の潤滑剤を要する、木材繊維を経由して摺動部を形成していない木材繊維の他断面から潤滑剤が染み出して電子機器が汚染される等の、別の不具合を生じてしまう。
【０００７】
本発明は、上記に鑑みてなされたものであって、圧縮木材を外装材として用いた電子機器における摺動部の安価、かつ、良好な潤滑対策を提供することを目的とする。
【課題を解決するための手段】
【０００８】
上述した課題を解決し、目的を達成するために、請求項１に係る電子機器は、圧縮木材からなる外装材の摺動部に潤滑剤が含浸されていることを特徴とする。
【０００９】
また、請求項２に係る電子機器は、上記の発明において、前記摺動部は、前記圧縮木材の木材繊維の断面が露出していることを特徴とする。
【００１０】
本明細書において、外装材の摺動部とは、回転部材や摺動部材が係合する外装材の部分、外装材と係合する回転部材や摺動部材の部分の双方をいうものとする。また、圧縮木材の木材繊維とは、広葉樹の場合には主に導管をいい、針葉樹の場合には主に仮導管をいうものとする。ここで、図８は、圧縮前の木材（針葉樹）の断面を拡大して細胞壁Ｗに囲まれた仮導管Ｔの断面を模式的に示した参考図である。また、図９は、圧縮後の木材（針葉樹）の断面を拡大して潰れた仮導管Ｔを模式的に示した参考図である。図８，図９より、圧縮前には略均一形状で大きな空間を有する仮導管Ｔが、圧縮後には空間が不規則に潰されて大きく減少している。そして、細胞壁Ｗは、図９に示すように、その厚さを略維持した状態で潰された仮導管Ｔの間に繋がった状態で存在していることが分かる。本発明は、圧縮木材における潰された導管や仮導管を含む木材繊維の部分を利用して潤滑剤を含浸させ、摺動部の潤滑に利用している。
【発明の効果】
【００１１】
本発明にかかる電子機器は、圧縮木材からなる外装材の摺動部に潤滑剤を含浸することにより、圧縮された木材繊維の内部に適量含浸された潤滑剤が摺動部から経時的に沁み出すので、多量の潤滑剤を用いなくても摺動部を潤滑することができるうえ、過剰な潤滑剤による電子機器の絶縁不良や光学系の曇りの発生を招かないため、安価かつ良好な潤滑対策とすることができる。この結果、電子機器を長期に亘って使用することができる。
【００１２】
また、請求項２の電子機器によれば、摺動部は、圧縮木材の木材繊維の断面が露出しているので、毛細管現象によって木材繊維内に吸引，保持された適量の潤滑剤が、摺動部に染み出して潤滑することができる。この際、木材繊維は圧縮されて空間が減少しているので、木材繊維の断面のうち摺動部を形成していない断面から潤滑剤がもれ出ることがないため、電子機器内部の汚染を招くおそれがないという効果を奏する。
【発明を実施するための最良の形態】
【００１３】
以下、本発明の電子機器にかかる実施の形態について、図面を参照しつつ詳細に説明する。図１は、本発明の電子機器にかかる一例としてレンズバリアが閉じた状態のデジタルカメラを示す斜視図である。図２は、図１のデジタルカメラにおいて、レンズバリアを開いた撮影モードの状態を示す斜視図である。図３は、図１のデジタルカメラを撮像レンズの部分に沿って水平に切断した断面図である。
【００１４】
デジタルカメラ１は、図１乃至図３に示すように、圧縮木材からなる外装材１０の内部に内部機構１４及び撮像レンズ１５が収納され、外装材１０の上部にはダイヤルスイッチ１７が設けられている。
【００１５】
外装材１０は、板目が前面或いは後面となるように木取りした前カバー１１及び後カバー１２を有している。外装材１０は、レンズバリア１３を取り付けた前カバー１１を後カバー１２と嵌合させてデジタルカメラ１の筐体を形成する。ここで、前カバー１１及び後カバー１２を構成する圧縮木材は、檜，檜葉，桐，杉，松，桜，チーク，マホガニー等の無垢材をそれぞれの形状に合わせて切り出し、所定の圧縮加工を施したものである。以下、圧縮木材として針葉樹を用いた場合について説明する。
【００１６】
前カバー１１は、図３に示すように、撮像レンズ１５を突出させるレンズ孔１１ａが中央に設けられ、外縁部には嵌合凹部１１ｂが後述する蓋１２ｂ及び切欠きの部分を除いて全周に亘って設けられている。また、前カバー１１は、半円形の切欠きが上縁に形成されている。前記切欠きは、回転部材である後述するダイヤルスイッチ１７が回動に伴って摺動する摺動部であり、前カバー１１と後カバー１２とを嵌合したときに、後カバー１２の対応する位置に形成された半円形の切欠き１２ｄ（図５参照）と共にダイヤルスイッチ１７を挿通する貫通孔を形成し、圧縮された仮導管１１ｄ（図４参照）の断面が露出している。また、前カバー１１は、前部の上下にガイドレール１１ｅが設けられている。ガイドレール１１ｅは、レンズバリア１３が摺動する摺動部であり、図４に示すように、予め潤滑剤Ｌcが含浸されている。ここで、図３は、外装材１０の内部構造を示すためレンズバリア１３は省略している。
【００１７】
後カバー１２は、液晶モニタ１６を取り付ける装着口１２ａ（図３参照）が略中央に設けられ、側部には接続端子１４ｅに接続される接続ケーブルを抜き差しする接続口を開閉自在に覆う蓋１２ｂが設けられている（図１，図２参照）。後カバー１２は、図３及び図５に示すように、外縁部に前カバー１１の嵌合凹部１１ｂと嵌め合わされる嵌合突条１２ｃが蓋１２ｂ及び切欠き１２ｄの部分を除いて全周に亘って設けられている。ここで、後カバー１２は、ダイヤルスイッチ１７を挿通する貫通孔を形成する半円形の切欠き１２ｄが上縁に形成され、切欠き１２ｄには圧縮された仮導管１２ｅ（図４，図６参照）の断面が露出している。切欠き１２ｄは、回転部材である後述するダイヤルスイッチ１７が回動に伴って摺動する摺動部であり、前カバー１１の前記切欠きと共に予め潤滑剤が含浸されている。ここで、前カバー１１及び後カバー１２は、圧縮木材として針葉樹を用いたことから切欠き１２ｄの端面に仮導管１１ｄ，１２ｅの断面が露出している。但し、前カバー１１及び後カバー１２は、圧縮木材として広葉樹を用いた場合には、導管の断面が切欠き１２ｄに露出することになる。
【００１８】
レンズバリア１３は、前カバー１１の前部を部分的に覆うと共に、前カバー１１に左右方向へスライド自在に取り付けられる。レンズバリア１３は、図２に示すように、ダイヤルスイッチ１７側へ移動させると撮影モードがオンとなり、撮像レンズ１５がレンズ孔１１ａから突出する。一方、レンズバリア１３は、図１に示す中央に戻すと撮影モードがオフとなり、撮像レンズ１５がレンズ孔１１ａから外装材１０内へ収納される。レンズバリア１３は、図４に示すように、前カバー１１の前部上下に設けたガイドレール１１ｅと係合する係合片１３ａが上下の縁部に設けられている。
【００１９】
内部機構１４は、図３に示すように、ＣＣＤ等の撮像素子１４ａ、撮像素子１４ａの駆動回路１４ｂ、液晶モニタ１６の駆動回路１４ｃ、画像記録媒体への記録装置１４ｄ及び外部パソコンとの接続端子１４ｅ等を有している。ここで、内部機構１４は、後述する基板１８（図５参照）に搭載されている。
【００２０】
ダイヤルスイッチ１７は、図１及び図２に示すように、矢印方向に回転してマニュアル，オート，セルフタイマ等の撮影モードを切り替えるスイッチを兼ねる回転部材であり、図１及び図２に示すように、外装材１０の上部に設けられている。ダイヤルスイッチ１７は、図５に示すように、軸部１７ａの上部に操作ダイヤル１７ｂが、下部に係合部１７ｃが、それぞれ設けられている。ダイヤルスイッチ１７は、外装材１０の内部に設けた可動接片１９と係合される。即ち、可動接片１９は、本体１９ａに係合孔１９ｂが形成されると共に、複数の切替接片１９ｃを有しており、係合孔１９ｂに係合部１７ｃを係合させることによってダイヤルスイッチ１７によって回動操作される。このとき、複数の切替接片１９ｃは、基板１８に形成された複数の導電回路１８ａの対応する導電回路１８ａと当接することにより、デジタルカメラ１を種々の撮影モードに切り替える。
【００２１】
以上のように構成されるデジタルカメラ１は、外装材１０の内部に内部機構１４及び撮像レンズ１５を収納すると共に、ダイヤルスイッチ１７と可動接片１９とを係合させ、レンズバリア１３を取り付けた前カバー１１を後カバー１２と嵌合させて組み立てられる。このとき、前カバー１１及び後カバー１２は、摺動部となるガイドレール１１ｅや切欠き１２ｄに潤滑剤Ｌcが含浸されている。このため、前カバー１１及び後カバー１２は、圧縮された仮導管１１ｄ，１２ｅ内に毛細管現象によって吸引されて染み込んだ潤滑剤Ｌcが保持されている。
【００２２】
従って、デジタルカメラ１は、撮影に伴ってレンズバリア１３を開閉すると、仮導管１１ｄ，１２ｅ内に染み込んだ潤滑剤Ｌcが経時的に適量染み出し、係合片１３ａとの間を潤滑する。このため、デジタルカメラ１は、レンズバリア１３を上下のガイドレール１１ｅに沿って円滑に移動させることができる。また、デジタルカメラ１は、前カバー１１の図示しない切欠き及び後カバー１２の切欠き１２ｄによって形成された貫通孔に仮導管１１ｄ，１２ｅに保持された潤滑剤Ｌcが経時的に適量染み出し、軸部１７ａとの間を潤滑するので、ダイヤルスイッチ１７を回動操作したときに、ダイヤルスイッチ１７を滑らかに回動操作することができる。これにより、デジタルカメラ１は、圧縮木材からなる外装材を前カバー１１や後カバー１２に使用していても、摺動部となるガイドレール１１ｅや切欠き１２ｄの磨耗が抑えられる結果、長期に亘って使用することができる。このとき、仮導管１１ｄ，１２ｅ内への吸引や仮導管１１ｄ，１２ｅからの染み出しを考慮すると、使用する潤滑剤は、シリコーングリース等の液状の潤滑剤であって粘性係数が小さいものを使用することが好ましい。
【００２３】
一方、デジタルカメラ１は、例えば、図７に示すように、前カバー１１に仮導管１１ｄの断面が露出し、回転部材Ｓの端部が係合する凹部１１ｆを有するときには、凹部１１ｆに潤滑剤を含浸させておく。このようにすると、潤滑剤Ｌcが圧縮された仮導管１１ｄ内に毛細管現象によって吸引されて保持される。このため、デジタルカメラ１は、回転部材Ｓが回転したときに、保持された潤滑剤Ｌcが仮導管１１ｄから染み出し、回転部材Ｓとの間を潤滑するので、回転部材Ｓを円滑に回転させることができる。
【００２４】
尚、上記の実施の形態は、電子機器としてデジタルカメラの場合について説明した。しかし、本発明の電子機器は、圧縮木材からなる外装材の摺動部に潤滑剤が含浸されている構成であれば、携帯通信機器（主に携帯電話機），ＩＣレコーダ，ＰＤＡ，携帯テレビ，携帯ラジオ或いは各種家電製品のリモコン等の携帯型電子機器が対象となる。
【００２５】
また、潤滑剤は、液状であれば、シリコーングリース等の潤滑剤の他、フッ素系樹脂（例えば、四フッ化エチレン樹脂（ＰＴＦＥ））や二硫化モリブデン（ＭｏＳ2）等の固体潤滑剤の微粒子を有機溶剤等に分散させたもの等を使用することができる。
【産業上の利用可能性】
【００２６】
以上のように、本発明にかかる電子機器は、外装材として用いた圧縮木材と摺動部材等との間における潤滑に有用であり、特に、安価、かつ、良好な潤滑対策を施すのに適している。
【図面の簡単な説明】
【００２７】
【図１】本発明の電子機器にかかる一例としてレンズバリアが閉じた状態のデジタルカメラを示す斜視図である。
【図２】図１のデジタルカメラにおいて、レンズバリアを開いた撮影モードの状態を示す斜視図である。
【図３】図１のデジタルカメラを撮像レンズの部分に沿って水平に切断した断面図である。
【図４】前カバーとレンズバリアとの係合状態を示す断面図である。
【図５】回転部材であるダイヤルスイッチの取り付け構造を示す斜視図である。
【図６】後カバーに含浸された潤滑剤によるダイヤルスイッチの潤滑状態を示す断面図である。
【図７】回転部材の潤滑の他の態様を示す断面図である。
【図８】木材を圧縮する前の仮導管の断面を拡大して模式的に示す参考図である。
【図９】木材を圧縮した後の仮導管の断面を拡大して模式的に示す参考図である。
【符号の説明】
【００２８】
１                デジタルカメラ
１０              外装材
１１              前カバー
１１ａ            レンズ孔
１１ｂ            嵌合凹部
１２              後カバー
１２ａ            装着口
１２ｂ            蓋
１２ｃ            嵌合突条
１２ｄ            切欠き
１２ｅ            仮導管
１３              レンズバリア
１３ａ            係合片
１４              内部機構
１４ａ            撮像素子
１４ｂ，１４ｃ    駆動回路
１４ｄ            記録装置
１４ｅ            接続端子
１５              撮像レンズ
１６              液晶モニタ
１７              ダイヤルスイッチ
１７ａ            軸部
１７ｂ            操作ダイヤル
１７ｃ            係合部
１８              基板
１８ａ            導電回路
１９              可動接片
１９ａ            本体
１９ｂ            係合孔
１９ｃ            切替接片
【図１】
2005353934.tif 000003
【図２】
2005353934.tif 000004
【図３】
2005353934.tif 000005
【図４】
2005353934.tif 000006
【図５】
2005353934.tif 000007
【図６】
2005353934.tif 000008
【図７】
2005353934.tif 000009
【図８】
2005353934.tif 000010
【図９】
2005353934.tif 000011